(57)【要約】【課題】電源が切られ球送り部材がその回転を停止しているときは、決して球払出装置から遊技球が無用に払い出されることがないようにしたパチンコ遊技機の球払出装置を提供する。【解決手段】球通路５，６を途中で湾曲し下側が下傾すると共にその終端部３３が球送り部材１１における側部の外周面と対向位置させ、各球受凸部１４の外周面は円弧面の第一当接面３４ａと弧面の第二当接面３４ｂとからなり、湾曲部３１，３１の終端部３３に位置する遊技球Ｂが第一当接面３４ａに当接したときのみ球受凹部１３に受け入れられる遊技球Ｂが保持され、電源が切れた状態の球送り部材１１は、湾曲部３１，３１の終端部３３に位置する遊技球Ｂが球受凸部１４の第一当接面３４ａに当接することにより正回転動作が阻止され、終端部３３に位置する遊技球Ｂが球受凸部１４の第二当接面３４ｂに当接することによりその遊技球Ｂを球受凹部１３に受け入れて正回転動作が阻止されるようにした。【選択図】図４
2008073444.tif 000002
【特許請求の範囲】
【請求項１】
上下方向に配設される球通路と、前記球通路の一側に配置され外周面に球受凸部と球受凹部とが交互に列設され電気的駆動源により回転して前記球通路内を流下する遊技球を前記球受凹部に受け入れ一個ずつ下方へ排出する球送り部材とを備えた球払出装置であって、
前記球通路は途中で湾曲しその下側が下傾すると共にその終端部が前記球送り部材における側部の外周面と対向位置し、
前記各球受凸部の外周面は、正回転方向の先端側に位置し前記球送り部材の軸中心を中心とする円弧面に成形される第一当接面と、前記球送り部材の正回転方向の後端側に位置しその後端に進むに従い該球送り部材の軸中心からの距離が漸次短くなる弧面に成形される第二当接面とからなり、前記球通路内を流下し前記湾曲部の終端部に位置する遊技球が前記球送り部材の球受凸部における第一当接面に当接したときのみ球受凹部に受け入れられた遊技球が保持され、
前記電気的駆動源の電源が切られた状態の前記球送り部材は、前記湾曲部の終端部に位置する遊技球が前記球受凸部の第一当接面に当接することにより正回転動作が阻止され、また、前記終端部に位置する遊技球が前記球受凸部の第二当接面に当接することによりその遊技球を前記球受凹部に受け入れて正回転動作が阻止されるようにしたことを特徴とするパチンコ遊技機の球払出装置。
【発明の詳細な説明】
【技術分野】
【０００１】
本発明は、貸し球又は賞球としての遊技球を払い出すためのパチンコ遊技機の球払出装置に関するものである。
【背景技術】
【０００２】
従来、貸し球又は賞球としての遊技球を払い出すに球払出装置が使用されている。該球払出装置は、図７に示すように上端に球入口ａを有すると共に下端に球出口ｃを有する球通路ｄと該球通路ｄの一側に配置され外周面に球受凸部ｅおよび遊技球ｂを受け入れる球受凹部ｆを有する球送り部材ｇとを備えている。そして、電気的駆動源により前記球送り部材ｇを矢印で示す正回転方向へ回転させることによって、球通路ｄ内の遊技球ｂを一個ずつ球受凹部ｆに受け入れ下方へ運んで排出するようにしている。ところで、前記球通路ｄは、球入口ａから球送り部材ｇの軸中心に向かって下方へ真直ぐに延設され、そこから球送り部材ｇの外周面に沿って弧状に湾曲するようにして成形され、その流下端に球出口ｃが設けられている（例えば、特許文献１参照。）。
【０００３】
【特許文献１】特開２００４−１９５１３２号公報（第３−４頁、図１）
【発明の開示】
【発明が解決しようとする課題】
【０００４】
前記特許文献１のパチンコ遊技機の球払出装置では、例えば、パチンコホールで営業が終了し各パチンコ遊技機の電源を切ったとき、図７に示すように球通路ｄに流入した遊技球ｂの内の最先端の遊技球ｂ１が球送り部材ｇの外周面に設けられた球受凹部ｆに受け入れられ、第二番目の遊技球ｂ２も球受凹部ｆに受け入れられて停止しているときがある。この場合、電源が切られ球送り部材ｇが自由に回転し得る状態になっているが、球通路ｄ内に並ぶ遊技球ｂの球圧が球送り部材ｇの軸中心に加わるようになっているので、球受け部材ｇは回転し得る外力が働かずに停止している。よって、前記球受凹部ｆに受け入れられている最先端の遊技球ｂ１は、球送り部材ｇと共に回転せずにその位置に保持されている。
【０００５】
ところで、パチンコホールでは、営業終了後に各パチンコ遊技機の前側の透明板保持枠を開いて遊技盤面を掃除したり、釘調整が行われる。このとき、透明板保持枠を閉めたときや釘調整をすべくハンマーで釘を叩く際の衝撃が球払出装置内の球送り部材に伝わり、球送り部材ｇの前記力のバランスが崩れ球送り部材ｇが無用に回転してしまい、前記球受凹部ｆに受け入れられていた最先端の遊技球ｂ１が排出されるという誤動作が生じていた。これは、中央制御装置から電気的な球払い出しの信号が無いにも拘わらず勝手に遊技球の払い出しが行われることを意味し、遊技球の管理上許されるべきことではない。
【０００６】
そこで、本発明は上記課題を解決すべくなされたもので、電源が切られ球送り部材がその回転を停止しているときは、決して球払出装置から遊技球が無用に払い出されることがないようにしたパチンコ遊技機の球払出装置を提供することを目的とするものである。
【課題を解決するための手段】
【０００７】
かかる目的を達成するため本発明に係るパチンコ遊技機の球払出装置は、上下方向に配設される球通路と、前記球通路の一側に配置され外周面に球受凸部と球受凹部とが交互に列設され電気的駆動源により回転して前記球通路内を流下する遊技球を前記球受凹部に受け入れ一個ずつ下方へ排出する球送り部材とを備えた球払出装置であって、前記球通路は途中で湾曲しその下側が下傾すると共にその終端部が前記球送り部材における側部の外周面と対向位置し、前記各球受凸部の外周面は、正回転方向の先端側に位置し前記球送り部材の軸中心を中心とする円弧面に成形される第一当接面と、前記球送り部材の正回転方向の後端側に位置しその後端に進むに従い該球送り部材の軸中心からの距離が漸次短くなる弧面に成形される第二当接面とからなり、前記球通路内を流下し前記湾曲部の終端部に位置する遊技球が前記球送り部材の球受凸部における第一当接面に当接したときのみ球受凹部に受け入れられた遊技球が保持され、前記電気的駆動源の電源が切られた状態の前記球送り部材は、前記湾曲部の終端部に位置する遊技球が前記球受凸部の第一当接面に当接することにより正回転動作が阻止され、また、前記終端部に位置する遊技球が前記球受凸部の第二当接面に当接することによりその遊技球を前記球受凹部に受け入れて正回転動作が阻止されるようにしたことを特徴とする。
【発明の効果】
【０００８】
本発明に係るパチンコ遊技機の球払出装置は、球通路を途中で湾曲しその下側が下傾すると共にその終端部が球送り部材における側部の外周面と対向位置させ、各球受凸部の外周面は円弧面に成形される第一当接面と球送り部材の軸中心からの距離が漸次短くなる弧面に成形される第二当接面とからなり、球通路内を流下し湾曲部の終端部に位置する遊技球が前記第一当接面に当接したときのみ球受凹部に受け入れられた遊技球が保持されるようにした。そして、電気的駆動源の電源が切られた状態の球送り部材は、湾曲部の終端部に位置する遊技球が球受凸部の第一当接面に当接することにより正回転動作が阻止され、また、終端部に位置する遊技球が球受凸部の第二当接面に当接することによりその遊技球を球受凹部に受け入れて正回転動作が阻止されるようにした。よって、電源が切られ球送り部材がその回転を停止しているときに球払出装置に衝撃が与えられても、決して球払出装置から遊技球が無用に払い出されることがなく、遊技球の管理上好ましいという効果を有する。
【発明を実施するための最良の形態】
【０００９】
以下、本発明に係るパチンコ遊技機の球払出装置の実施の形態を図面に基づき説明する。
図６は本発明が適用されるパチンコ遊技機の裏面図であり、図中、４０は木製からなる縦長長方形状の外枠である。該外枠４０の前面に、遊技盤４１を配置した内枠４２が開閉自在に装着される。内枠４２の後側に、遊技盤４１の後面を覆うようにして合成樹脂製の機構板４３が開閉自在に装着されている。
【００１０】
前記機構板４３の後面に、その上部に各パチンコ遊技機Ｐに分配される遊技球を貯留する球タンク４４が配置され、該球タンク４４の下方に該球タンク４４から排出される遊技球を整流させて下流一側に誘導するタンクレール４５が配置される。該タンクレール４５の流下端にはカーブレール４６が設けられ、該カーブレール４６の下端に球供給樋４７を介して本発明に係る球払出装置Ａが配置される。
【００１１】
球払出装置Ａの下方には、該球払出装置Ａから払い出された遊技球をパチンコ遊技機Ｐの前面に誘導する下部球排出通路４８が設けられている。そして、例えば、遊技中に入賞球が発生したときは、その電気的信号が中央制御回路（図示せず。）に入力され、それに応じた所定数の遊技球を球払出装置Ａから払い出させる。払い出された遊技球は、下部球排出通路４８を介してパチンコ遊技機Ｐの前側へ排出される。また、貸球を払い出す信号が中央制御装置（図示せず。）に入力されると、所定数の遊技球を球払出装置Ａから払い出させる。払い出された遊技球は、前記と同様に下部球排出通路４８を介してパチンコ遊技機Ｐの前側へ排出されることになる。
【００１２】
次に、本発明に係る球払出装置Ａについて説明する。図１は本発明に係る球払出装置の斜視図、図２は同分解斜視図である。該球払出装置Ａは、合成樹脂製のケース本体１からなる。該ケース本体１は、中央部の仕切り部材２を挟んでその両側を囲う一対の前・後側枠部材３，４を有する。前・後側枠部材３，４は、互いの対向する面すなわち前側枠部材３の後面と後側枠部材４の前面がそれぞれ開放され、それら周囲を上壁３ａ，４ａと下壁３ｂ，４ｂと右側壁３ｃ，４ｃと左側壁３ｄ，４ｄとにより囲われている。
【００１３】
仕切り部材２と前側枠部材３との対向する面には、その一側の上下に亘りこれらが組み合わさったとき成形される第一球通路５が設けられ、仕切り部材２と後側枠部材４との対向する面にも、その一側すなわち前記第一球通路５と同じ位置に上下に亘り第二球通路６が設けられる。第一球通路５と第二球通路６とは前側から透視して同じ形状に成形される。
【００１４】
仕切り部材２の他側に、弧状に窪み後記する球送り部材１１を収納する凹窪み部７が成形されている。そして、前側枠部材３における前壁３ｅに、前記仕切り部材２の凹窪み部７に対応して円形状のモータ取付孔８が開設される。また、後側枠部材４における後壁４ｅには、前側を向く円柱状の軸部９を有するボス１０が突設されている。
【００１５】
前記凹窪み部７に収容される球送り部材１１は、中央の起立する円板１２の両側に遊技球を受け入れる球受凹部１３と外周面で遊技球を受け止める球受凸部１４とが周方向に沿っていずれも交互にかつ等間隔に設けられている。この場合、球受凹部１３と球受凸部１４はそれぞれ３個ずつ設けられる。なお、前記円板１２を挟んだその両側では、各球受凸部１４の位相が６０度ずらせてある。
【００１６】
仕切り部材２の前後両側面の下部とこれらに対向する前・後側枠部材３，４の下部に、それぞれ球検出器１５を収納する収納凹部１６，１６が設けられている。後側枠部材４の前面の上下二箇所に、ほぼ対角線上に位置して先端にネジ孔１７を設けた筒部１８，１８が前方へ突設される。これと対応して、仕切り部材２の上下二箇所に、前記二個の筒部１８，１８が挿通される挿通孔１９，１９が貫設されている。また、前側枠部材３には、前記ネジ孔１７，１７に対応位置してネジ挿通孔２０，２０が開設される。
【００１７】
そして、仕切り部材２の一側に設けられた凹窪み部７に該仕切り部材２に対し直交するようにして球送り部材１１を収納すると共に、仕切り部材２の前・後両側にそれぞれ前・後側枠部材３，４を配置する。また、後側枠部材４におけるボス１０の軸部９を球送り部材１１の後端面に開設された軸孔２１に挿入し、前端側はモータ取付孔８に臨ませておく。その前端面には角孔２２が開設され、該角孔２２に外周面形状がその角孔２２の内周面と合致すると共に中心に軸孔２３を設けた軸筒部材２４が挿入される。これにより、両軸孔２１，２３が同一軸線上に位置することになる。軸筒部材２４の軸孔２３はＤカットした断面形状を有する。
【００１８】
次に、モータ取付孔８の前側に駆動モータ２５を配置し、そのモータ軸２５ａを球送り部材１１の前端側の軸孔２３に挿入する。また、前記両収納凹部１６，１６に、それぞれ球検出器１５，１５を収納する。そして、駆動モータ２５の前端両側に設けられた一対のフランジ２７，２７のネジ挿通孔２８，２８をモータ取付孔８の外周縁に設けられたネジ孔２９，２９に合致させ、それぞれネジ挿通孔２８，２８を介してネジ孔２９，２９にネジ３０，３０を螺締する。これにより、駆動モータ２５が取着される。最後に、前記各ネジ挿通孔２０を介して各筒部１８の前端のネジ孔１７にネジ３０を螺締する。
【００１９】
球払出装置Ａはこのようにして組み立てられ、この状態では、上壁３ａ，４ａに第一・第二球通路５，６に連通する球入口５ａ，６ａが開設され、下壁３ｂ，４ｂには第一・第二球通路５，６に連通する球出口５ｂ，６ｂが開設される。各球入口５ａ，６ａは、各球出口５ｂ，６ｂに対して少し外側へずれて位置している。すなわち、第一・第二球通路５，６は、図３に示すように球入口５ａ，６ａから下方に進むに従い途中で球出口５ｂ，６ｂ側へ湾曲し、その湾曲部３１，３１の下側が下傾すると共にその終端部３３，３３が前記球送り部材１１における側部の外周面と対向位置するようになっている。また、第一・第二球通路５，６は、それら終端部３３，３３から下方へ伸びて球出口５ｂ，６ｂに達する。更に、湾曲部３１，３１の下端縁には、球送り部材１１の球受凹部１３に受け入れられた遊技球を受け止めて一時保留するための傾斜面３２，３２が設けられている。
【００２０】
球送り部材１１は、第一・第二球通路５，６に一部介入するようにして配置されることになる。球入口５ａ，６ａから第一・第二球通路５，６に流入する複数の遊技球は、湾曲部３１，３１を流下し、球送り部材１１の正回転動作に伴い球受凹部１３，１３に交互に受け入れられて下方へ運ばれる。そして、球受凹部１３，１３との係合が外れ支持を失った状態で下方へ落下し、球検出器１５，１５により検出された後に球出口５ｂ，６ｂから排出されるようになっている。
【００２１】
また、球送り部材１１における球受凸部１４の外周面は、図５矢印で示すように球送り部材１１の正回転方向の先端側に位置する第一当接面３４ａと、球送り部材１１の正回転方向の後端側に位置する第二当接面３４ｂとに分かれている。第一当接面３４ａは、球送り部材１１の軸中心Ｏを中心とする円弧面に成形され、第二当接面３４ｂはその後端に進むに従い球送り部材１１の軸中心Ｏからの距離が漸次短くなる弧面に成形される。
【００２２】
そこで、パチンコ遊技機Ｐの稼働終了後であって電気的駆動源（図示せず。）の電源が切られた状態では、球送り部材１１の湾曲部３１，３１の終端部３３，３３に位置する遊技球が球受凸部１４の第一当接面３４ａに当接すると、図５（イ）に示すようにその遊技球Ｂの球圧が球送り部材１１の軸中心Ｏに向かって加わる。しかも、遊技球Ｂが球送り部材１１に対しその側部、すなわち横方向から送り込まれるので、球送り部材１１が正回転方向へ回転しようとすると、前記遊技球Ｂが第一・第二球通路５，６の内周面と前記第一当接面３４ａとの間に嵌り込んでくさびの働きをすることから、球送り部材１１が無用に回転することはない。この際、その下流側の球受凹部１３に遊技球Ｂ１が受け入れられていても、この遊技球Ｂ１は保持される。すなわち、第一・第二球通路５，６内を流下し湾曲部３１，３１の終端部３３に位置する遊技球Ｂが球送り部材１１の球受凸部１４における第一当接面３４ａに当接したときのみ、その下流側の球受凹部１３に受け入れられる遊技球Ｂ１が一時的に保持されるようになっている。
【００２３】
一方、前記状態において遊技球Ｂが球受凸部１４の第二当接面３４ｂに当接すると、図５（ロ）に示すようにその遊技球Ｂの球圧が球送り部材１１の軸中心Ｏからずれた方向へ向かって加わる。これにより、球送り部材１１が正回転方向へ強制的に回転させられ、球受凹部１３に受け入れられる。この状態では、その遊技球Ｂの球圧が球送り部材１１の軸中心Ｏに向かって加わることになるので、この場合も球送り部材１１が無用に回転することはない。
【００２４】
本発明に係るパチンコ遊技機の球払出装置は上記構成からなり、次にその作用を説明する。図４（イ）（ロ）（ハ）は、作用を説明する球払出装置の正面断面図である。なお、この際、第二球通路６側については同じことになるので、便宜上第一球通路５側のみについて説明する。
【００２５】
パチンコホールの営業が終了し、各パチンコ遊技機Ｐの電源が切られた状態で、例えば図４（イ）に示すように第一球通路５内を流下する遊技球であって湾曲部３１の終端部３３に位置する遊技球Ｂが球送り部材１１の外周面における第一当接面３４ａに当接しているとき、球送り部材１１は球圧とその方向の関係及びその遊技球Ｂのくさびの働きによって停止されている。よって、仮に、遊技盤面を掃除したり、釘調整を行う際に発生する衝撃が球払出装置Ａ内の球送り部材１１に伝わっても、球送り部材１１の力のバランスが崩れるようなことはなく、球送り部材１１が正回転することはない。
【００２６】
これにより、その下流側の球受凹部１３に受け入れられ保持されている遊技球Ｂ１もしっかりと保持され、無用に排出されるようなことはない。
【００２７】
次に、前記状態で、例えば図４（ロ）に示すように第一球通路５内を流下する遊技球であって湾曲部３１の終端部３３に位置する遊技球Ｂが、球送り部材１１の外周面における第二当接面３４ｂに当接したときは、球送り部材１１が球圧とその方向の関係によって正回転方向へ回転する。そして、図４（ハ）に示すようにその遊技球Ｂは球受凹部１３に受け入れられる。この状態では、遊技球Ｂの球圧の関係から球送り部材１１が停止されている。前記湾曲部３１の終端部３３に位置する遊技球Ｂが、球送り部材１１の外周面における第二当接面３４ｂに当接したときは、その下流の球受凹部１３には既に遊技球はない。
【００２８】
よって、この場合も、遊技盤面を掃除したり、釘調整を行う際に発生する衝撃が球払出装置Ａ内の球送り部材１１に伝わっても、球送り部材１１の力のバランスが崩れるようなことはなく、球送り部材１１が正回転することはない。
【００２９】
最後に、前記状態で、例えば図４（ハ）に示すように第一球通路５内を流下する遊技球であって湾曲部３１の終端部３３に位置する遊技球Ｂが、球送り部材１１の球受凹部１３に受け入れられたときは、前記のように遊技球Ｂの球圧の関係から球送り部材１１が停止されており、球送り部材１１が正回転することはない。
【００３０】
このように、いずれの場合も電源が切られ球送り部材１１がその回転を停止しているときに球払出装置Ａに衝撃が与えられても、決して球払出装置Ａから遊技球Ｂが無用に払い出されることがなく、遊技球の管理上好ましい。
【図面の簡単な説明】
【００３１】
【図１】本発明に係る球払出装置の斜視図。
【図２】同分解斜視図。
【図３】同正面断面図。
【図４】（イ）、（ロ）、（ハ）は同作用を示す正面断面図。
【図５】（イ）、（ロ）は遊技球と球送り部材との力関係を示す説明図。
【図６】本発明が適用されるパチンコ遊技機の背面図。
【図７】従来の球払出装置の一部断面正面図。
【符号の説明】
【００３２】
５                      第一球通路
６                      第二球通路
１１                    球送り部材
１３                    球受凹部
１４                    球受凸部
３１                    湾曲部
３３                    終端部
３４ａ                  第一当接面
３４ｂ                  第二当接面
Ａ                      球払出装置
Ｂ、Ｂ１                遊技球
Ｏ                      軸中心
Ｐ                      パチンコ遊技機
【図１】
2008073444.tif 000003
【図２】
2008073444.tif 000004
【図３】
2008073444.tif 000005
【図４】
2008073444.tif 000006
【図５】
2008073444.tif 000007
【図６】
2008073444.tif 000008
【図７】
2008073444.tif 000009